(57)【要約】  データキャリアのための回路は、識別情報を、通信装置に供給することができる。通信装置（２）と非接触通信することができる、データキャリア（３）のための回路（４）に、情報単位で構成され、通信装置（２）に供給可能である識別情報（ＩＩ）を記憶するためのメモリステージ（５）と、インジケータ信号（ＩＳ）を処理するための信号処理ステージ（２５）とが設けられ、インジケータ信号（ＩＳ）は、２つの異なる情報単位のほぼ同時の出現を示し、２つの異なる情報単位のうち、一方の情報単位は、回路（４）のメモリステージ（５）に記憶された識別情報（ＩＩ）に含まれ、他方の情報単位は、異なる回路（４’）のメモリステージに記憶された異なる識別情報（ＩＩ’）に含まれ、インジケータ信号（ＩＳ）は、このような異なる情報単位のほぼ同時の出現を検出した際に通信装置（２）により生成されて、回路（４）に伝達され、信号処理ステージ（２５）は、インジケータ信号（ＩＳ）を処理した結果として、インジケータ信号（ＩＳ）を発生させた情報単位が出現した後に、識別情報（ＩＩ）の供給を中断し、少なくとも、インジケータ信号（ＩＳ）を発生させた情報単位に、フラグを立てるように構成されている。
2007508634.tif 000002
【特許請求の範囲】
【請求項１】
データキャリアのための回路であって、
前記データキャリアは、通信装置と非接触通信するためのインターフェースを備え、
前記回路は、情報単位により構成される識別情報を記憶するためのメモリ手段を備え、識別情報は、インターフェースを介して通信装置に供給されることが可能であり、
前記回路は、インジケータ信号を受信および処理するように構成された信号処理手段を備え、
前記インジケータ信号は、２つの異なる情報単位のほぼ同時の出現を示し、２つの異なる情報単位のうち、一方の情報単位は、前記回路の前記メモリステージに記憶された識別情報に含まれ、他方の情報単位は、異なる回路のメモリステージに記憶された異なる識別情報に含まれ、前記インジケータ信号は、このような異なる情報単位のほぼ同時の出現を検出した際に前記通信装置により生成されて、前記回路に伝達され、
前記信号処理手段は、前記インジケータ信号を受信および処理した結果として、第１に、前記インジケータ信号を発生させた識別情報の供給を中断するように構成されており、第２に、少なくとも、前記インジケータ信号を発生させた情報単位を、記憶するように構成されている、
ことを特徴とする回路。
【請求項２】
前記信号処理手段は、復調ステージを備え、
前記復調ステージは、前記インターフェースに出現したキャリア信号を復調し、かつ、復調されたキャリア信号を供給するように構成されており、
前記信号処理手段は、決定ステージを備え、前記決定ステージは、復調されたキャリア信号を受信し、かつ、前記インジケータ信号が受信されたかどうかを決定するように設計されている、
ことを特徴とする請求項１に記載の回路。
【請求項３】
前記信号処理手段は、シーケンス制御装置を備え、
前記シーケンス制御装置は、メモリステージを含み、
前記メモリステージにより、前記インジケータ信号を発生させた識別情報内の情報単位の位置を記憶することができる、
ことを特徴とする請求項１に記載の回路。
【請求項４】
前記信号処理手段は、追加的に、前記インターフェースを介して制御信号を受信し、受信された制御信号を処理するように構成されており、
前記制御信号は、前記インジケータ信号を発生させた情報単位を決定するために供給され、
前記信号処理手段は、前記制御信号を受信および処理した結果として、前記制御信号により決定された情報単位が、前記インジケータ信号を発生させた記憶された情報単位と同一である場合、前記インジケータ信号を発生させた情報単位に続く情報単位により、識別情報の供給を継続するように構成されている、
ことを特徴とする請求項１に記載の回路。
【請求項５】
前記信号処理手段は、前記制御信号を、前記インジケータ信号の成分として受信および処理することができるように構成されている、
ことを特徴とする請求項４に記載の回路。
【請求項６】
請求項１乃至請求項５のいずれかに記載の回路を有することを特徴とするデータキャリア。
【請求項７】
データキャリアのための回路によって記憶された識別情報を、非接触通信のために構成された前記データキャリアのインターフェースを介して通信装置に供給するための方法であって、
前記方法は、以下に述べる方法ステップ、すなわち、
情報単位の形をとる識別情報を、インターフェースを介して前記通信装置に供給するステップと、
インジケータ信号を受信および処理するステップであって、前記インジケータ信号は、２つの異なる情報単位のほぼ同時の出現を示し、２つの異なる情報単位のうち、一方の情報単位は、前記回路のメモリステージに記憶された識別情報に含まれ、他方の情報単位は、異なる回路のメモリステージに記憶された異なる識別情報に含まれ、前記インジケータ信号は、このような異なる情報単位のほぼ同時の出現を検出した際に前記通信装置により生成されて、前記回路に伝達される、ステップと、
前記インジケータ信号を発生させた情報単位の供給の後に、前記インジケータ信号を受信および処理した結果として、識別情報の供給を中断するステップと、
少なくとも、前記インジケータ信号を発生させた情報単位を記憶するステップと、
を備えることを特徴とする方法。
【請求項８】
前記インターフェースに出現したキャリア信号が、復調され、
復調されたキャリア信号に基づいて、前記インジケータ信号が受信されたかどうかに関する決定が行なわれる、ことを特徴とする請求項７に記載の方法。
【請求項９】
前記インジケータ信号を発生させた識別情報内の情報単位の位置が記憶される、ことを特徴とする請求項７に記載の方法。
【請求項１０】
制御信号が、前記インターフェースを介して受信され、
前記制御信号は、前記インジケータ信号を発生させた情報単位を決定するために供給され、
前記制御信号を受信および処理した結果として、前記制御信号により決定された情報単位が、前記インジケータ信号を発生させた記憶された情報単位と同一である場合、前記インジケータ信号を発生させた情報単位に続く情報単位により、識別情報の供給が継続される、
ことを特徴とする請求項７に記載の方法。
【請求項１１】
前記制御信号は、前記インジケータ信号の成分として受信および処理される、ことを特徴とする請求項１０に記載の方法。
【請求項１２】
データキャリアと非接触通信するためのインターフェースを備える通信装置であって、
前記インターフェースを介して、前記データキャリアから供給されることが可能な識別情報を、情報単位の形で受信することができ、
前記通信装置は、衝突検出手段を備え、
前記衝突検出手段は、２つの異なる情報単位のほぼ同時の出現を検出するように構成されており、２つの異なる情報単位のうち、一方の情報単位は、前記データキャリアから発生し、他方の情報単位は、異なるデータキャリアから発生し、
前記衝突検出手段は、インジケータ信号を生成し、前記インジケータ信号を、前記インターフェースを介して供給するように構成されており、前記インジケータ信号は、２つの異なる情報単位のほぼ同時の出現の検出を示し、
前記通信装置は、情報単位処理手段を備え、前記情報単位処理手段は、このような異なる情報単位のほぼ同時の出現を前記衝突検出手段により検出した結果として、前記インジケータ信号を発生させた情報単位の前に出現した全ての情報単位を記憶および処理するように構成されている、
ことを特徴とする通信装置。
【請求項１３】
前記情報単位処理手段は、追加的に、制御信号を生成するように構成されており、
前記制御信号は、前記インジケータ信号を発生させた情報単位を決定し、かつ、前記インターフェースを介した供給が可能となるように供給され、
前記情報単位処理手段は、前記制御信号の供給に続いて、前記制御信号により決定された情報単位を、前記インジケータ信号を発生させた情報単位の前に出現した全ての情報単位と共に記憶および処理するように構成されている、
ことを特徴とする請求項１２に記載の通信装置。
【請求項１４】
前記衝突検出手段は、前記制御信号を、前記情報単位処理手段から受信し、かつ、前記制御信号を、前記インジケータ信号の成分として供給するように構成されている、ことを特徴とする請求項１３に記載の通信装置。
【発明の詳細な説明】
【技術分野】
【０００１】
本発明は、データキャリアのための回路に関し、データキャリアは、通信装置と非接触通信するためのインターフェースを備え、回路は、情報単位により構成される識別情報を記憶するためのメモリ手段を備え、識別情報は、インターフェースを介して通信装置に供給されることが可能であり、回路は、インジケータ信号を受信および処理するように構成された信号処理手段を備え、インジケータ信号は、２つの異なる情報単位のほぼ同時の出現を示し、２つの異なる情報単位のうち、一方の情報単位は、回路のメモリステージに記憶された識別情報に含まれ、他方の情報単位は、異なる回路のメモリステージに記憶された異なる識別情報に含まれ、インジケータ信号は、このような異なる情報単位のほぼ同時の出現を検出した際に通信装置により生成されて、回路に伝達される。
【０００２】
本発明は、さらに、第１段落に述べられた種類の回路を有するデータキャリアに関する。
【０００３】
本発明は、さらに、データキャリアのための回路によって記憶された識別情報を、非接触通信のために構成されたデータキャリアのインターフェースを介して通信装置に供給するための方法に関し、方法は、以下に述べる方法ステップ、すなわち、情報単位の形をとる識別情報を、インターフェースを介して通信装置に供給するステップと、インジケータ信号を受信および処理するステップであって、インジケータ信号は、２つの異なる情報単位のほぼ同時の出現を示し、２つの異なる情報単位のうち、一方の情報単位は、回路のメモリステージに記憶された識別情報に含まれ、他方の情報単位は、異なる回路のメモリステージに記憶された異なる識別情報に含まれ、インジケータ信号は、このような異なる情報単位のほぼ同時の出現を検出した際に通信装置により生成されて、回路に伝達される、ステップと、を備える。
【０００４】
本発明は、さらに、データキャリアと非接触通信するためのインターフェースを備える通信装置であって、インターフェースを介して、データキャリアにより供給されることが可能な情報単位の形をとる識別情報を、受信することができ、通信装置は、衝突検出手段を備え、衝突検出手段は、２つの異なる情報単位のほぼ同時の出現を検出するように構成されており、２つの異なる情報単位のうち、一方の情報単位は、データキャリアから発生し、他方の情報単位は、異なるデータキャリアから発生し、衝突検出手段は、インジケータ信号を生成し、インジケータ信号を、インターフェースを介して供給するように構成されており、インジケータ信号は、２つの異なる情報単位のほぼ同時の出現の検出を示す。
【背景技術】
【０００５】
最初に第１段落で述べた種類のような回路、および最初に第２段落で述べた種類のようなデータキャリア、および最初に第３段落で述べた種類のような方法、および最初に第４段落で述べた種類のような通信装置は、米国特許第５，７５１，５７０号により知られている。
【０００６】
既知のデータキャリアの場合には、回路が設けられ、回路は、データキャリアを明確に識別するための情報単位により構成される識別情報が記憶されるメモリ手段を有する。データキャリアは、回路の回路セクションにより部分的に実現されるインターフェースを備え、これにより、通信装置による照会があると、識別情報が、照会を行なっている通信装置に対し、キャリア信号の負荷変調によるデータキャリアの電力供給の目的で通信装置から取り出されたキャリア信号によって、非接触で供給される。このプロセスにおいて、識別情報は、その情報単位の形で直列に、すなわちビットごとに、通信装置に伝達される。通信装置は、通信装置に入る識別情報のビット位置において、いわゆる衝突を検出するように構成されている。衝突を検出するために、通信装置は、衝突検出ステージを有する。このような衝突は、例えば、データキャリアが、値“１”を有するビットを、他のデータキャリアが値“０”を有するビットを供給するのとほぼ同時に、通信装置に供給するという点で区別される。２つのほぼ同時に出現したが異なっている情報単位を検出した結果として、通信装置は、キャリア信号によって、このイベント、すなわち衝突の発生を示すインジケータ信号を送信し、このインジケータ信号は、データキャリアにて受信され、処理される。
【発明の開示】
【発明が解決しようとする課題】
【０００７】
既知のデータキャリアおよび既知の通信装置の場合、データキャリアにて受信されるインジケータ信号を用いて、識別情報の供給が完全に停止され、識別情報の供給は、早くとも乱数により計算された時間間隔の経過後にのみ再開され、この時間間隔の経過後に、識別情報が、すなわち最も短い時間間隔が計算されたデータキャリアから、まったく新たに供給される、という問題が生じる。この識別情報の供給の間に、新たな衝突を引き起こさないために、識別情報の情報単位の受信を新たに開始した直後に、通信装置は、さらなる信号、すなわちいわゆる“ビジー信号（busy signal）”を送信する必要があり、これにより、全ての他の残りのデータキャリアが、もっとも短い時間間隔を経たデータキャリアの識別情報が完全に送信された後に、再びこれらの識別情報に関する照会を受信するまで、これらをサイレントにさせる。その後、インジケータ信号により衝突が再び示され、残りのデータキャリアの群からのデータキャリアが、最短の時間間隔の計算によりこの群から再び選択されるまで、残りのデータキャリアは、再び、それぞれの識別情報の供給を、任意で同時に開始する。一般にアンチ衝突プロセスまたはインベンタライジング（inventarizing）プロセスとしても知られるこのプロセスは、全てのデータキャリアが、それらの識別情報を完全に、とりわけ衝突の発生なしに供給するまで、繰り返される。この接続において、このような乱数の計算は、時間がかかり、この目的に適切に設計された手段を、データキャリアにおいて必要とするという問題が生じる。さらに、このようなデータキャリアおよびこのような通信装置は、比較的多数のこのようなデータキャリアが、ほぼ同時に通信装置の通信領域に持ち込まれ、全てのデータキャリアの識別情報が、可能な限り早く検出される必要があるような用途の場合には、実用的でない。このような用途の場合においては、時間間隔の経過を待ち、その後に完全な識別情報を再供給する時間のかかるプロセスは、不利であり、それは、全ての識別情報を通信装置に迅速かつ効率的に送信することが、まったく不可能なためである。
【０００８】
本発明の目的は、最初に第１段落で述べた種類の回路、および最初に第２段落で述べた種類のデータキャリア、および最初に第３段落で述べた種類の方法、および最初に第４段落において述べた種類の通信装置における、上述の問題を回避し、改善された回路と、改善されたデータキャリアと、改善された方法と、改善された通信装置とを提供することである。
【課題を解決するための手段】
【０００９】
上述の目的を達成するために、本発明に係る特徴が、本発明に係る回路において提供され、本発明に係る回路は、以下に述べられるように特徴付けられる。
【００１０】
データキャリアのための回路であって、データキャリアは、通信装置と非接触通信するためのインターフェースを備え、回路は、情報単位により構成される識別情報を記憶するためのメモリ手段を備え、識別情報は、インターフェースを介して通信装置に供給されることが可能であり、回路は、インジケータ信号を受信および処理するように構成された信号処理手段を備え、インジケータ信号は、２つの異なる情報単位のほぼ同時の出現を示し、２つの異なる情報単位のうち、一方の情報単位は、回路のメモリステージに記憶された識別情報に含まれ、他方の情報単位は、異なる回路のメモリステージに記憶された異なる識別情報に含まれ、インジケータ信号は、このような異なる情報単位のほぼ同時の出現を検出した際に通信装置により生成されて、回路に伝達され、信号処理手段は、インジケータ信号を受信および処理した結果として、第１に、インジケータ信号を発生させた識別情報の供給を中断するように構成されており、第２に、少なくとも、インジケータ信号を発生させた情報単位に、フラグを立てるように構成されている。
【００１１】
上述の目的を達成するために、本発明に係るデータキャリアに、本発明に係る回路が設けられる。
【００１２】
上述の目的を達成するために、本発明に係る特徴が、本発明に係る方法において提供され、よって、本発明に係る方法は、以下に述べるように特徴付けられる。
【００１３】
データキャリアのための回路によって記憶された識別情報を、非接触通信のために構成されたデータキャリアのインターフェースを介して通信装置に供給するための方法であって、方法は、以下に述べる方法ステップ、すなわち、情報単位の形をとる識別情報を、インターフェースを介して通信装置に供給するステップと、インジケータ信号を受信および処理するステップであって、インジケータ信号は、２つの異なる情報単位のほぼ同時の出現を示し、２つの異なる情報単位のうち、一方の情報単位は、回路のメモリステージに記憶された識別情報に含まれ、他方の情報単位は、異なる回路のメモリステージに記憶された異なる識別情報に含まれ、インジケータ信号は、このような異なる情報単位のほぼ同時の出現を検出した際に通信装置により生成されて、回路に伝達される、ステップと、インジケータ信号を発生させた情報単位の供給の後に、インジケータ信号を受信および処理した結果として、識別情報の供給を中断するステップと、少なくとも、インジケータ信号を発生させた情報単位にフラグを立てるステップと、を備える。
【００１４】
上述の目的を達成するために、本発明に係る特徴が、本発明に係る通信装置において提供され、したがって、本発明に係る通信装置は、以下に述べるように特徴付けられる。
【００１５】
通信装置であって、データキャリアと非接触通信するためのインターフェースを備え、インターフェースを介して、データキャリアにより供給可能である識別情報を、情報単位の形で受信することができ、通信装置は、衝突検出手段を備え、衝突検出手段は、２つの異なる情報単位のほぼ同時の出現を検出するように構成されており、２つの異なる情報単位のうち、一方の情報単位は、データキャリアから発生し、他方の情報単位は、異なるデータキャリアから発生し、衝突検出手段は、インジケータ信号を生成し、インジケータ信号を、インターフェースを介して供給するように構成されており、インジケータ信号は、２つの異なる情報単位のほぼ同時の出現の検出を示し、通信装置は、情報単位処理手段を備え、情報単位処理手段は、このような異なる情報単位のほぼ同時の出現を衝突検出手段により検出した結果として、インジケータ信号を発生させた情報単位の前に出現した全ての情報単位を記憶および処理するように構成されている。
【００１６】
本発明に係る手段を提供することにより、本発明に係る回路から発生する情報単位が、本発明に係る異なる回路から発生する情報単位と衝突するイベントにおいて、既に供給されている情報単位は、その後に使用されるという見込みなしに時間の無駄として無意味に供給されないという利点が得られる。それは、インジケータ信号を発生させた、フラグが立てられた情報単位に基づいて、まだ供給されていない残りの情報単位を供給すべきかどうかについて、回路内で決定できるからである。さらに、通信装置において、既に受信された情報単位は、衝突が起こったとしても、さらなる処理に使用可能であり、従来技術でのように単に棄てられない、という利点が得られる。したがって、比較的多数のデータキャリアが、通信装置の通信領域内に同時に配置された場合であっても、各データキャリアが、その識別情報を、時間のかかる識別情報全体の反復なしに、可能な限り迅速かつ確実に通信装置に供給できることを保証する、という要求が生じる。
【００１７】
本発明に係る一解決策の場合、例えば、インジケータ信号が受信されたかどうかを決定するために、電圧ランプ評価手段が設けられるようにすることができ、電圧ランプ評価手段は、インターフェースを介した非接触通信の間に回路内で起こった電圧ランプを、検出し評価するように構成されている。電圧ランプ評価手段によって、例えば、２つの同時に出現した異なる情報単位を示す目的で、通信装置によって生成されたキャリア信号の振幅が、２つの異なる情報単位が同時に出現した後のある時間間隔にわたって変更され、これにより、インジケータ信号を発生させた情報単位の供給後に電圧ランプが起こり、この電圧ランプは、振幅が変わっていないキャリア信号によって発生した電圧ランプとは異なる、ということを確定することができる。本発明に係る一解決策の場合には、さらに、上述の目的でコード監視手段を設けるようにすることができ、コード監視手段により、情報単位の供給の間に用いられたコードの劣化が、インジケータ信号の受信を示すものとみなされる。しかしながら、これは、追加的に、請求項２および請求項８に記載の手段がそれぞれ設けられる際に、特に有利であることが証明された。これにより、インジケータ信号の受信は、インターフェースに出現する情報単位を、回路内に存在しインターフェースに供給される情報単位と単に比較することによって、達成可能であるという利点が得られ、これは、インターフェースでは、インジケータ信号の受信の間に、供給されている情報単位とインジケータ信号の間に、オーバーレイがあり、このオーバーレイは、回路から供給される情報単位とは異なっているからである。
【００１８】
本発明に係る一実施形態において、例えば、情報単位と、識別情報内での情報単位の特定の位置の両方が記憶されるようにすることができる。しかしながら、これは、請求項３および請求項９のそれぞれに記載の手段が、追加的に提供される場合に、特に有利であると証明された。これにより、特定の情報単位に対するいわゆるポインタのみを記憶させればよく、これにより、メモリ要求の点において、可能な限り経済的である識別情報の処理を可能にする、という利点が得られ、それは、識別情報が、通常は、変更できないように記憶されており、識別情報の情報単位のコピーを作成することは、どのような追加の利点となりもせず、単にメモリスペースを占有するだけだからである。
【００１９】
本発明に係る一解決策において、例えば、インジケータ信号を発生させた情報単位を決定または定義することができる制御信号を受信した結果として、制御信号により決定された情報単位が、インジケータ信号を発生させた情報単位と同一である場合に、識別情報が、その直後またはその後の時間遅延をおいて、完全に再供給されるようにすることができる。しかしながら、これは、請求項４および請求項１０および請求項１３のそれぞれに記載の手段が、追加的に提供される場合に、特に有利であると証明された。これにより、前記インジケータ信号を発生させた情報単位が制御信号により決定された情報単位と同一である回路からの識別情報の供給が、インジケータ信号を発生させた情報単位に続く情報単位により継続される、という利点が得られる。これにより、上述の基準を満たす回路が、どのような時間がかかる双方向の通信もなしに制御信号によって選択され、また、インジケータ信号を発生させた情報単位の送信の反復も省略されるというさらなる利点が得られ、したがって、可能な限り効率的なアンチ衝突方法が実現される。
【００２０】
本発明に係る一解決策において、例えば、制御信号が、インジケータ信号の直後、またはインジケータ信号が出現した後の時間間隔の経過後に受信され、したがって、インジケータ信号から独立して処理されるようにすることができる。しかしながら、これは、請求項５および請求項１１および請求項１４のそれぞれに記載の手段が、追加的に提供される場合に、特に有利であると証明された。これにより、識別情報の供給の継続は、２つの異なる情報単位の出現に際しても、ほとんど遅延なく実行される、という利点が得られ、それは、インジケータ信号を発生させた情報単位の反復は、インジケータ信号を処理した後は必要なく、次の情報単位による、すなわちインジケータ信号を発生させた情報単位に続く情報単位による、識別情報の供給の継続まで、待ち時間がほとんど必要ないからである。
【００２１】
回路に関して列記された利点は、請求項１乃至請求項５のいずれかに記載の本発明に係る回路を有する請求項６に記載の本発明に係るデータキャリアの場合にも有効であることに留意すべきである。
【発明を実施するための最良の形態】
【００２２】
本発明のこれらおよび他の態様は、以下に述べられる実施形態から明らかとなり、これらを参照して非限定の例によって説明される。
【００２３】
図１は、通信システムを示しており、この通信システムは、以下では略してシステム１と呼ばれ、非接触通信の規格ＩＳＯ１４４４３に基づいて構成されている。システム１は、通信装置２と、複数のデータキャリアとを備え、これらデータキャリアのうち、１つのデータキャリア３のみが図１に示されている。
【００２４】
データキャリア３は、集積回路の形をとりメモリ手段５を含む回路４を備える。メモリ手段５は、情報単位すなわちビットにより構成される識別情報ＩＩを記憶するために設けられている。システム１内の、通信ユニット２とデータキャリア３の間の特定の通信プロセスを可能にするために、データキャリア３は、まず、その識別情報ＩＩを通信装置２に供給して、通信装置２に対して自身を明確に識別させなければならず、これにより、通信プロセスに際して、この１つのデータキャリア３と通信装置２の間だけで通信が行なわれることが保証される。それは、いくつかのデータキャリア３が、通信装置２の通信領域に配置されることもあるからである。
【００２５】
この目的で、通信装置２は、第１のインターフェース６を備え、データキャリア３は、第２のインターフェース７を備え、２つのインターフェース６および７を介して、通信装置２およびデータキャリア３が、規格ＩＳＯ１４４４３に準じた通信を行なうことができる。第１のインターフェース６は、第１の通信コイル８のみが図１に示されている。第２のインターフェース７は、第２の通信コイル９が図１に示されている。回路４は、さらに、キャパシタ１０を備え、キャパシタ１０は、第１の回路接続１１と、第２の回路接続１２とによって、第２の通信コイル９と接続され、第２の通信コイル９と共に、共振回路１３を形成する。データキャリア３が、通信装置２の通信領域に持ち込まれるとすぐに、誘導結合が通信装置２とデータキャリア３の間に存在し、したがって、通信装置２で生成可能なキャリア信号Ｃを、第１の通信コイル８から第２の通信コイル９に送信することができ、その結果、キャリア信号Ｃを、電力供給の目的および通信装置２との情報交換の目的で回路４に供給することができ、これは、専門家には以前から知られている状態である。
【００２６】
通信配置２からデータキャリア３に伝達される情報を受信する目的で、データキャリア３は、受信手段１４を備え、受信手段１４は、第２のインターフェース７と接続された復調ステージ１５と、復調ステージ１５と接続された復号ステージ１６と、復号ステージ１６と接続されたコマンド検出ステージ１７と、同じく復号ステージ１６と接続されたデータ検出ステージ１８と、により実現される。受信手段１４の実現および機能は、専門家にはよく知られているため、この段階では、キャリア信号Ｃに含まれる識別情報照会コマンドなどのコマンド情報ＣＩを、コマンド検出ステージ１７によって検出および供給でき、キャリア信号Ｃに含まれるデータ情報ＤＩが、データ検出ステージ１８によって検出および供給できる、ということだけを述べておく。
【００２７】
回路４は、さらに、シーケンス制御手段１９を備え、シーケンス制御手段１９は、コマンド情報ＣＩおよびデータ情報ＤＩを受信し、コマンド情報ＣＩおよびデータ情報ＤＩの処理を制御するように構成されている。シーケンス制御手段１９は、さらに、メモリ手段５にアクセスし、さらなる情報の処理を制御するように構成されており、例えば、識別情報照会コマンドＣＩを処理した結果として、メモリ手段５に記憶されている識別情報ＩＩを取り出す。
【００２８】
シーケンス制御手段１９は、さらに、送信情報ＢＩ、例えば、情報単位の形すなわちこの場合ではビットの形をとる識別情報ＩＩ、を供給するように構成されている。
【００２９】
送信情報ＢＩを、通信装置２に供給する目的で、回路４は、送信手段２０を備え、送信手段２０は、送信情報ＢＩを受信するように構成されており、送信情報ＢＩに基づいて、キャリア信号Ｃ内に負荷変調信号セクションおよび非変調信号セクションを生成する。この目的で、送信手段２０は、符号化ステージ２１を備え、符号化ステージ２１は、マンチェスター（Manchester）コードに基づいて符号化するように構成され、かつシーケンス制御手段１９に接続されており、送信情報ＢＩを受信して、送信情報ＢＩを表す符号化送信情報ＣＢＩを生成するように構成されている。送信手段２０は、さらに、変調ステージ２２を備え、変調ステージ２２は、符号化ステージ２１に接続され、符号化送信情報ＣＢＩを受信し、かつインターフェース７の第２の回路接続１２に出現するキャリア信号Ｃを負荷符号化するように構成されている。ここで、補助キャリアを提供することもでき、これは、一方で、マンチェスターコードに基づいて符号化できることに留意すべきである。さらに、例えばＵＨＦ範囲で用いられるいわゆるＦＭ０コード、またはＦ２Ｆコードなどの、他のコードを代わりに用いてもよい。
【００３０】
通信装置２の場合、データキャリア３から供給された情報単位は、第１のインターフェース６によって受信することが可能である。しかしながら、序文で述べた場合、すなわち複数のデータキャリア３が、通信装置２の通信領域内に配置され、情報単位の形をとるそれらの識別情報ＩＩが、ほぼ同時に供給される場合を包含するために、通信装置２は、衝突検出手段２３を備え、衝突検出手段２３は、第１のインターフェース６に接続されており、かつ、２つの異なる情報単位のほぼ同時の出現を検出するように構成されており、２つの異なる情報単位のうち、一方の情報単位は、データキャリア３から発生し、他方の情報単位は、図１には示されていない異なるデータキャリアから発生する。２つの異なる情報単位のほぼ同時の出現を検出した結果として、衝突検出手段２３は、インジケータ信号ＩＳを生成し、インジケータ信号ＩＳを第１のインターフェース６を介して供給するように構成されており、インジケータ信号ＩＳは、２つの異なる情報単位のほぼ同時の出現を示し、従来技術で供給されるように、データキャリア３に供給される。衝突検出手段２３は、さらに、衝突検出信号ＣＲを供給するように構成されており、衝突検出信号ＣＲは、通信装置２での内部処理のために供給され、インジケータ信号ＩＳで示される検出状態を表す。
【００３１】
通信装置２は、さらに、情報単位処理手段２４を備え、情報単位処理手段２４は、第１のインターフェース６に接続され、データキャリア３から送信される情報単位を連続して受信するように構成されている。情報単位処理手段２４は、さらに、衝突検出信号ＣＲを受信するように構成されており、衝突検出信号ＣＲは、衝突検出手段２３から情報単位処理手段２４に送信することができる。衝突検出信号ＣＲを受信した結果として、情報単位処理手段２４は、インジケータ信号を発生させた情報単位の前に出現した全ての情報単位を記憶し、処理するように構成されている。
【００３２】
情報単位処理手段２４は、追加的に、インジケータ信号ＩＳを発生させた情報単位を決定するように構成されており、この情報単位は、バイナリ値１を表すようなやり方で決定される。情報単位処理手段２４は、さらに、制御信号ＣＳを生成し、制御信号ＣＳを衝突検出手段２３に供給するように構成されており、制御信号ＣＳは、インジケータ信号ＩＳを発生させた情報単位を決定するために、すなわちこの場合はバイナリ値１の情報単位を決定するために供給され、これにより、そのバイナリ値に関する決定がなされた情報単位が、第１のインターフェース６を介して第２のインターフェース７に供給できるようになる。
【００３３】
情報単位処理手段２４は、さらに、制御信号ＣＳの供給に続いて、制御信号ＣＳにより決定された情報単位を、インジケータ信号ＩＳを発生させた情報単位の前に出現した全ての情報単位と共に、記憶および処理するように構成されており、これにより、決定された情報単位は、あたかもこの決定された情報単位がデータキャリア３で受信されたかのように、インジケータ信号ＩＳを発生させた情報単位と入れ替わる。
【００３４】
衝突検出手段２３は、さらに、制御信号ＣＳを情報単位処理手段２４から受信し、制御信号ＣＳをインジケータ信号ＩＳの成分として供給するように構成されている。ここで、従来のやり方で、すなわち従来技術に基づいて振幅を変更されずに生成されたキャリア信号Ｃを、情報単位の受信の間に、通信装置２を通じてインジケータ信号ＩＳを供給する目的で変調を受けさせ、そして制御信号ＣＳを、インジケータ信号ＩＳを表すキャリア信号の変調信号セクション内のさらなる変調を通じて、さらなる変調信号セクションで表されるようにすることができる。同時に、例えば、インジケータ信号ＩＳは、９０％のわずかな変調深さにより定義することができ、制御信号は、９０％の変調深さを有する信号セクション内で、３０％のわずかな変調深さで定義することができる。ここで、インジケータ信号ＩＳ自体がキャリア信号Ｃ内に出現することも、その定義上、２つの可能なバイナリ値１または０のうちの１つを表すことができるが、これは、システム１向けの適用の領域の最大の柔軟性に関する限定を表すこともできる、ということに注意すべきである。
【００３５】
データキャリア３は、さらに、信号処理手段２５を備え、信号処理手段２５は、インジケータ信号ＩＳおよび制御信号ＣＳを受信および処理するように構成されている。この目的で、信号処理手段２５は、第２の復調ステージ２６と、決定ステージ２７とを備える。第２の復調ステージ２６は、第２のインターフェース７に接続され、第２のインターフェース７を介して受信したキャリア信号Ｃを復調し、復調キャリア信号ＤＣを決定ステージ２７に供給するように構成されている。第２の復調ステージ２６の代わりに、情報受信手段１４の第１の復調ステージ１５を、信号処理手段２５のために使用することもできる。決定ステージ２７は、さらに、符号化送信情報ＣＢＩを、符号化ステージ２１から受信するように構成されており、かつ、符号化送信情報ＣＢＩの補助により、キャリア信号Ｃがインジケータ信号ＩＳを含むかどうかを決定するように構成されている。同時に、回路４内に符号化送信情報ＣＢＩとして存在する、供給されるべき特定の情報単位が、インターフェース７にキャリア信号Ｃの変調の形で存在する情報と同一かどうかの決定が行われる。通信装置２が、キャリア信号Ｃを、インジケータ信号ＩＳと共に変調する場合、第２のインターフェース７に出現する情報は、もはや符号化送信情報ＣＢＩと一致せず、その結果、決定ステージ２７が、決定結果情報ＤＲを供給し、この決定結果情報ＤＲは、不一致を表し、シーケンス制御手段１９に供給される。
【００３６】
シーケンス制御手段１９は、メモリステージ１９Ｍを備え、メモリステージ１９Ｍは、内部レジスタで形成され、これにより、インジケータ信号ＩＳを発生させた情報単位の位置を、識別情報ＩＩ内に保存させることができる。信号処理手段２５は、さらに、制御信号検出ステージ２８を備え、制御信号検出ステージ２８は、第２の復調ステージ２６に接続され、制御信号ＣＳを検出し、制御信号ＣＳによって決定された情報単位を、シーケンス制御手段１９に供給するように構成されている。これにより、信号処理手段２５は、制御信号ＣＳを、インジケータ信号ＩＳの成分として受信および処理できるように構成されている。シーケンス制御手段１９は、決定結果情報ＤＲと、制御信号ＣＳによって決定された情報単位とを受信し、かつ、制御信号ＣＳを受信および処理した結果として、制御信号ＣＳによって決定された情報単位が、インジケータ信号ＩＳを発生させたフラグが立てられた情報単位と同一であった場合に、インジケータ信号ＩＳを発生させた情報単位に続く情報単位により、識別情報ＩＩの供給を続けるように構成されている。
【００３７】
情報単位処理手段２４は、さらに、決定された情報単位の後に受信された全ての情報単位を、すでに記憶されている情報単位に加え、識別情報ＩＩ全体が現れると、この識別情報ＩＩを、データキャリア３と通信する目的で供給するように構成されている。これにより、衝突が起こった後に、既に供給された情報単位の不要な反復が省かれるという利点が得られる。
【００３８】
ここで、次々と起こるいくつかの衝突にも、データキャリア３の識別情報ＩＩ全体が通信装置２によって受信されるまで、上述のやり方で対処することができる、ということに留意すべきである。
【００３９】
決定された情報単位が、インジケータ信号ＩＳを発生させた情報単位と同一でない場合、シーケンス制御手段１９は、識別情報ＩＩのさらなる情報単位の供給を、情報単位の供給を継続するリクエストが通信装置２から受信されるまで、停止するように構成されている。継続のリクエストの受信に続いて、インジケータ信号ＩＳを発生させた情報単位に続く情報単位により、供給が継続され、ここでは、インジケータ信号ＩＳを発生させた情報単位が、バイナリ値０に固定されたと暗に仮定され、これは、先に制御信号ＣＳにより明確に決定されたバイナリ値１を補足するものである。
【００４０】
情報単位処理手段２４は、さらに、先に決定された情報単位を、これを補足する情報単位と置き換え、異なるデータキャリアからの決定された情報単位の後に受信された情報単位を、既に記憶されている情報単位と結合し、かつ、異なるデータキャリアから受信された異なる識別情報ＩＩ全体が存在する状態で、この異なる識別情報ＩＩを、異なるデータキャリア３と通信する目的で供給するように構成されている。したがって、この例においても、既に供給された情報の不要な反復が省略されるという利点が得られる。
【００４１】
同様に、上述の説明は、２つ以上のデータキャリアが、それらの識別情報ＩＩを、通信装置に伝達する場合にも当てはまる。
【００４２】
通信装置２およびデータキャリア３の機能を、図１によるシステム１の適用の例を参照して以下に述べる。
【００４３】
この適用例によると、第１のデータキャリア３および図１には示されていない第２のデータキャリアが、通信装置２の通信領域内に配置されていると仮定され、第２のデータキャリアは、第１のデータキャリア３と同一の構成であり、第１のデータキャリア３は、第１のデータキャリア３が、その第１の識別情報ＩＩ、すなわち連続数“００１０１”を含み、第２のデータキャリアが、第２の識別情報ＩＩ’、すなわち連続数“００００１”を含む、という限りにおいて、第２のデータキャリアと異なっている。
【００４４】
通信装置２と、２つのデータキャリア３のうちの１つの間の通信を確立する目的で、まず、識別情報照会コマンドが、通信装置２から、キャリア信号Ｃによって送られる。２つのデータキャリア３により、この識別情報照会コマンドが、それぞれの受信手段１４によって受信および処理され、そこで直ちに、データキャリア３において、処理手順が開始され、それらの回路４に記憶された識別情報ＩＩおよびＩＩ’の、通信装置２への供給が、非接触通信のために構成されたそれらのインターフェース７を介して行なわれる。同時に、それらのシーケンス制御手段１９によって、情報単位の形をとるそれらの識別情報ＩＩ、ＩＩ’それぞれの供給が、それらのインターフェース７を介して開始される。
【００４５】
この場合では、２つのデータキャリア３が、両方の場合において値０を表すそれらの識別情報ＩＩ，ＩＩ’ それぞれの第１ビットを、通信装置２にほぼ同時に供給する。通信装置２により、衝突は確定されず、それは、２つの異なるデータキャリア３から発生する２つの情報単位が、同一であり、第１の情報単位が、情報単位処理手段２４に記憶されているからである。次いで、２つのデータキャリア３は、両方の場合において論理値０を表すそれらの識別情報ＩＩ，ＩＩ’ それぞれの第２の情報単位を、通信装置２に供給する。衝突は、この場合でも通信装置２によって確定されず、第２の情報単位は、情報単位処理手段２４によって記憶される。
【００４６】
次いで、２つのデータキャリア３は、第１のデータキャリア３の場合では論理値０を表し、第２のデータキャリア３’の場合では論理値１を表す、それらの識別情報ＩＩ，ＩＩ’ それぞれの第３の情報単位を、通信装置２に供給する。そこで直ちに、通信装置２において、衝突検出手段２３によって衝突が確定され、すなわち、２つの異なる情報単位が、ほぼ同時に出現する。すると直ちに、衝突検出信号ＣＲが、情報単位処理手段２４に供給される。情報単位処理手段２４は、インターフェース７を介して受信した異なる重複した情報単位を記憶する代わりに、論理値１を表す第３の情報単位を記憶する。情報単位処理手段２４は、次いで、値１において決定された第３の情報単位を表す制御信号ＣＳを、衝突検出手段２３に供給する。衝突検出手段２３によって、次いで、キャリア信号Ｃが、振幅変調され、正確には、振幅変調が、一方でインジケータ信号ＩＳを表し、他方でインジケータ信号ＩＳの成分として制御信号ＣＳを表すようにする。
【００４７】
データキャリア３において、次に、信号処理手段２５により、インジケータ信号ＩＳの受信および処理が行なわれ、インジケータ信号ＩＳを受信および処理した結果としてのその識別情報ＩＩ，ＩＩ’ それぞれの供給が、それらの識別情報ＩＩ，ＩＩ’ それぞれのインジケータ信号ＩＳを発生させた第３の識別情報が供給された後に、中断される。同時に、２つのデータキャリア３において、インジケータ信号ＩＳを発生させた情報単位は、フラグが立てられ、正確には、識別情報ＩＩ，ＩＩ’内でインジケータ信号ＩＳを発生させた情報単位の位置が、この情報単位へのポインタによって記憶される。この場合、これは第３の位置である。
【００４８】
同時に、インジケータ信号ＩＳの受信により、データキャリア３において、インジケータ信号ＩＳの一成分を形成する制御信号ＣＳが、それらのインターフェース７を介して受信される。制御信号ＣＳを受信および処理した結果として、それらの識別情報ＩＩ，ＩＩ’ それぞれの供給が、インジケータ信号ＩＳを発生させた情報単位に続く情報単位、この場合は第４の情報単位と共に、正確には第１のデータキャリア３の場合のみにおいて、継続される。その理由は、制御信号ＣＳによって決定された情報単位が、インジケータ信号ＩＳを発生させたフラッグが付された情報単位と同一、すなわち値１を表すためである。
【００４９】
第２のデータキャリア３の場合には、第３のデータ情報単位は、値０を表すため、第３の位置における第２の識別情報ＩＩ’の供給は、第２のデータキャリアが、第２の識別情報ＩＩ’の供給を継続するリクエストを受信するまで、停止される。
【００５０】
第１のデータキャリア３は、次いで、値０を有する第４の情報単位、および結果として値１を有する第５の情報単位を、衝突なしに供給する。それは、この例では、２つのデータキャリア３のみが、通信装置２の通信領域内に存在するからであり、また、第２のデータキャリアが、インジケータ信号ＩＳを受信し、インジケータ信号ＩＳに含まれる制御信号ＣＳを評価した後に、それ以上の情報単位を供給しないからである。
【００５１】
２つ以上のデータキャリア３が通信領域内に存在する場合、その識別情報のいくつかの位置で、異なるデータキャリア３から発生する情報単位の間の衝突が生じることも起こり得る。上述の説明と同様に、特定のデータキャリア、またはデータキャリアの群が、次いで、インジケータ信号ＩＳを発生させた情報単位が通信装置２によって決定された情報単位と同一である、その／それらの識別情報の供給を継続する。この場合では、この決定された情報単位が、常に値１を表すことが仮定された。しかしながら、２つの値１または０のうちの１つで、あるいは乱数原理に基づいて、情報単位の固定を実行できることに留意すべきである。
【００５２】
ひとたび、通信装置２が、第１のデータキャリア３の完全な第１の情報単位ＩＩを受信すると、通信装置２は、識別情報継続コマンドを送り出し、このコマンドは、その第１の識別情報ＩＩが既に完全に供給されているため、第１のデータキャリア３には無視される。第２のデータキャリアにおいて、この識別情報継続コマンドは、値０を表す情報単位によって、第４の位置での第２の識別情報ＩＩ’の供給を継続させる。その後、第２の識別情報ＩＩ’の値１を有する第５の情報単位も、衝突なしに、通信装置２に供給される。通信装置２において、データキャリア３との通信を避けつつ、第２の識別情報ＩＩ’を完成する目的で、インジケータ信号ＩＳを発生させた第２のデータキャリアのための情報単位が、値０において決定され、これは、第３の情報単位のために先に決定された値１を補足し、インジケータ信号ＩＳの出現前に出現した情報単位が、第２のデータキャリアからなおも突出している情報単位により補足される。
【００５３】
これにより、情報単位ＩＩおよびＩＩ’の送信において第３の情報単位にて衝突が生じるが、２つのデータキャリア３のそれぞれが、その識別情報ＩＩ，ＩＩ’全体のそれぞれを、通信装置２に１度だけ供給すればよく、衝突が起こる前に通信装置２に有効に入った情報単位は、従来技術とは対照的に、失われず、連続して送信される情報単位ＩＩおよびＩＩ’を完成するために保持および利用される、という利点が得られる。さらに、インジケータ信号ＩＳを発生させた情報単位が、通信装置２自体によって決定または定義され、制御信号ＣＳによってデータキャリア３に伝達される、この決定された情報単位により、同時に、２つのデータキャリア３のうちの一方が、その識別情報ＩＩ，ＩＩ’それぞれの供給を継続するように選択される、という利点が得られる。
【００５４】
上述の適用の例において、この適用が、キャリア信号Ｃに出現する信号を監視し、かつ、先に制御信号ＣＳによって選択されたデータキャリア３が、その情報単位の全てを供給したことを確定するように構成されていれば、第２の識別情報ＩＩ’の供給は、第２のデータキャリアによって自動的に開始することも可能であることに留意すべきである。これは、送信されるべき情報単位の数を認識した上で、送信された合計の情報単位を数えることによって行なうことができる。これは、また、しかしながら、第１の識別情報ＩＩの完全な受信を示す通信装置２のコマンドを評価することによっても、行なうことができる。
【００５５】
ここで、アンテナ構成または容量的に実効的な送信構成を、２つの通信コイル８，９の代わりに設けることができることに留意すべきである。
【００５６】
さらに、インジケータ信号ＩＳを供給する目的でキャリア信号の振幅を変化させる代わりに、フェーズまたは周波数における変化を提供してもよいことに留意すべきである。
【００５７】
さらに、ここで、インジケータ信号ＩＳは、キャリア信号内のパルスまたはパルスシーケンスによって形成することもできることにも留意すべきである。したがって、このような場合は、決定ステージを、このインジケータ信号ＩＳを評価するように構成しなければならない。
【図面の簡単な説明】
【００５８】
【図１】図１は、本発明の好適な実施形態に係る回路を有し、本発明の好適な実施形態に係る通信装置を有するデータキャリアを有する通信システムを、ブロック図の形で概略的に示している。
【図１】
2007508634.tif 000003
【手続補正書】
【提出日】平成18年4月18日(2006.4.18)
【手続補正１】
【補正対象書類名】特許請求の範囲
【補正対象項目名】全文
【補正方法】変更
【補正の内容】
【特許請求の範囲】
【請求項１】
データキャリアのための回路であって、
前記データキャリアは、通信装置と非接触通信するためのインターフェースを備え、
前記回路は、情報単位により構成される識別情報を記憶するためのメモリ手段を備え、  識別情報は、インターフェースを介して通信装置に供給されることが可能であり、
前記回路は、インジケータ信号を受信および処理するように構成された信号処理手段を備え、
前記インジケータ信号は、２つの異なる情報単位のほぼ同時の出現を示し、２つの異なる情報単位のうち、一方の情報単位は、前記回路の前記メモリステージに記憶された識別情報に含まれ、他方の情報単位は、異なる回路のメモリステージに記憶された異なる識別情報に含まれ、前記インジケータ信号は、このような異なる情報単位のほぼ同時の出現を検出した際に前記通信装置により生成されて、前記回路に伝達され、
前記信号処理手段は、前記インジケータ信号を受信および処理した結果として、第１に、前記インジケータ信号を発生させた識別情報の供給を中断するように構成されており、第２に、少なくとも、前記インジケータ信号を発生させた情報単位を、記憶するように構成され、
前記信号処理手段は、追加的に、前記インターフェースを介して制御信号を受信し、受信された制御信号を処理するように構成されており、
前記制御信号は、前記インジケータ信号を発生させた情報単位を決定するために供給され、
前記信号処理手段は、前記制御信号を受信および処理した結果として、前記制御信号により決定された情報単位が、前記インジケータ信号を発生させた記憶された情報単位と同一である場合、前記インジケータ信号を発生させた情報単位に続く情報単位により、識別情報の供給を継続するように構成されている、
ことを特徴とする回路。
【請求項２】
前記信号処理手段は、復調ステージを備え、
前記復調ステージは、前記インターフェースに出現したキャリア信号を復調し、かつ、復調されたキャリア信号を供給するように構成されており、
前記信号処理手段は、決定ステージを備え、前記決定ステージは、復調されたキャリア信号を受信し、かつ、前記インジケータ信号が受信されたかどうかを決定するように設計されている、
ことを特徴とする請求項１に記載の回路。
【請求項３】
前記信号処理手段は、シーケンス制御装置を備え、
前記シーケンス制御装置は、メモリステージを含み、
前記メモリステージにより、前記インジケータ信号を発生させた識別情報内の情報単位の位置を記憶することができる、
ことを特徴とする請求項１に記載の回路。
【請求項４】
前記信号処理手段は、前記制御信号を、前記インジケータ信号の成分として受信および処理することができるように構成されている、
ことを特徴とする請求項１に記載の回路。
【請求項５】
請求項１乃至請求項４のいずれかに記載の回路を有することを特徴とするデータキャリア。
【請求項６】
データキャリアのための回路によって記憶された識別情報を、非接触通信のために構成された前記データキャリアのインターフェースを介して通信装置に供給するための方法であって、
前記方法は、以下に述べる方法ステップ、すなわち、
情報単位の形をとる識別情報を、インターフェースを介して前記通信装置に供給するステップと、
インジケータ信号を受信および処理するステップであって、前記インジケータ信号は、２つの異なる情報単位のほぼ同時の出現を示し、２つの異なる情報単位のうち、一方の情報単位は、前記回路のメモリステージに記憶された識別情報に含まれ、他方の情報単位は、異なる回路のメモリステージに記憶された異なる識別情報に含まれ、前記インジケータ信号は、このような異なる情報単位のほぼ同時の出現を検出した際に前記通信装置により生成されて、前記回路に伝達される、ステップと、
前記インジケータ信号を発生させた情報単位の供給の後に、前記インジケータ信号を受信および処理した結果として、識別情報の供給を中断するステップと、
少なくとも、前記インジケータ信号を発生させた情報単位を記憶するステップと、を備え、
制御信号が、前記インターフェースを介して受信され、
前記制御信号は、前記インジケータ信号を発生させた情報単位を決定するために供給され、
前記制御信号を受信および処理した結果として、前記制御信号により決定された情報単位が、前記インジケータ信号を発生させた記憶された情報単位と同一である場合、前記インジケータ信号を発生させた情報単位に続く情報単位により、識別情報の供給を継続する、
ことを特徴とする方法。
【請求項７】
前記インターフェースに出現したキャリア信号が、復調され、
復調されたキャリア信号に基づいて、前記インジケータ信号が受信されたかどうかに関する決定が行なわれる、ことを特徴とする請求項６に記載の方法。
【請求項８】
前記インジケータ信号を発生させた識別情報内の情報単位の位置が記憶される、ことを特徴とする請求項６に記載の方法。
【請求項９】
前記制御信号は、前記インジケータ信号の成分として受信および処理される、ことを特徴とする請求項６に記載の方法。
【請求項１０】
データキャリアと非接触通信するためのインターフェースを備える通信装置であって、
前記インターフェースを介して、前記データキャリアから供給されることが可能な識別情報を、情報単位の形で受信することができ、
前記通信装置は、衝突検出手段を備え、
前記衝突検出手段は、２つの異なる情報単位のほぼ同時の出現を検出するように構成されており、２つの異なる情報単位のうち、一方の情報単位は、前記データキャリアから発生し、他方の情報単位は、異なるデータキャリアから発生し、
前記衝突検出手段は、インジケータ信号を生成し、前記インジケータ信号を、前記インターフェースを介して供給するように構成されており、前記インジケータ信号は、２つの異なる情報単位のほぼ同時の出現の検出を示し、
前記通信装置は、情報単位処理手段を備え、前記情報単位処理手段は、このような異なる情報単位のほぼ同時の出現を前記衝突検出手段により検出した結果として、前記インジケータ信号を発生させた情報単位の前に出現した全ての情報単位を記憶および処理するように構成され、
前記情報単位処理手段は、追加的に、制御信号を生成するように構成されており、
前記制御信号は、前記インジケータ信号を発生させた情報単位を決定し、かつ、前記インターフェースを介した供給が可能となるように供給され、
前記情報単位処理手段は、前記制御信号の供給に続いて、前記制御信号により決定された情報単位を、前記インジケータ信号を発生させた情報単位の前に出現した全ての情報単位と共に記憶および処理するように構成されている、
ことを特徴とする通信装置。
【請求項１１】
前記衝突検出手段は、前記制御信号を、前記情報単位処理手段から受信し、かつ、前記制御信号を、前記インジケータ信号の成分として供給するように構成されている、ことを特徴とする請求項１０に記載の通信装置。
【手続補正２】
【補正対象書類名】明細書
【補正対象項目名】００１０
【補正方法】変更
【補正の内容】
【００１０】
データキャリアのための回路であって、データキャリアは、通信装置と非接触通信するためのインターフェースを備え、回路は、情報単位により構成される識別情報を記憶するためのメモリ手段を備え、識別情報は、インターフェースを介して通信装置に供給されることが可能であり、回路は、インジケータ信号を受信および処理するように構成された信号処理手段を備え、インジケータ信号は、２つの異なる情報単位のほぼ同時の出現を示し、２つの異なる情報単位のうち、一方の情報単位は、回路のメモリステージに記憶された識別情報に含まれ、他方の情報単位は、異なる回路のメモリステージに記憶された異なる識別情報に含まれ、インジケータ信号は、このような異なる情報単位のほぼ同時の出現を検出した際に通信装置により生成されて、回路に伝達され、信号処理手段は、インジケータ信号を受信および処理した結果として、第１に、インジケータ信号を発生させた識別情報の供給を中断するように構成されており、第２に、少なくとも、インジケータ信号を発生させた情報単位に、記憶するように構成されており、信号処理手段は、追加的に、インターフェースを介して制御信号を受信し、受信された制御信号を処理するように構成されており、制御信号は、インジケータ信号を発生させた情報単位を決定するために供給され、信号処理手段は、制御信号を受信および処理した結果として、制御信号により決定された情報単位が、インジケータ信号を発生させた記憶された情報単位と同一である場合、インジケータ信号を発生させた情報単位に続く情報単位により、識別情報の供給を継続するように構成されている。
【手続補正３】
【補正対象書類名】明細書
【補正対象項目名】００１３
【補正方法】変更
【補正の内容】
【００１３】
データキャリアのための回路によって記憶された識別情報を、非接触通信のために構成されたデータキャリアのインターフェースを介して通信装置に供給するための方法であって、方法は、以下に述べる方法ステップ、すなわち、情報単位の形をとる識別情報を、インターフェースを介して通信装置に供給するステップと、インジケータ信号を受信および処理するステップであって、インジケータ信号は、２つの異なる情報単位のほぼ同時の出現を示し、２つの異なる情報単位のうち、一方の情報単位は、回路のメモリステージに記憶された識別情報に含まれ、他方の情報単位は、異なる回路のメモリステージに記憶された異なる識別情報に含まれ、インジケータ信号は、このような異なる情報単位のほぼ同時の出現を検出した際に通信装置により生成されて、回路に伝達される、ステップと、インジケータ信号を発生させた情報単位の供給の後に、インジケータ信号を受信および処理した結果として、識別情報の供給を中断するステップと、少なくとも、インジケータ信号を発生させた情報単位を記憶するステップと、を備え、制御信号が、インターフェースを介して受信され、制御信号は、インジケータ信号を発生させた情報単位を決定するために供給され、制御信号を受信および処理した結果として、制御信号により決定された情報単位が、インジケータ信号を発生させた記憶された情報単位と同一である場合、インジケータ信号を発生させた情報単位に続く情報単位により、識別情報の供給が継続される。
【手続補正４】
【補正対象書類名】明細書
【補正対象項目名】００１５
【補正方法】変更
【補正の内容】
【００１５】
データキャリアと非接触通信するためのインターフェースを備える通信装置であって、インターフェースを介して、データキャリアにより供給可能である識別情報を、情報単位の形で受信することができ、通信装置は、衝突検出手段を備え、衝突検出手段は、２つの異なる情報単位のほぼ同時の出現を検出するように構成されており、２つの異なる情報単位のうち、一方の情報単位は、データキャリアから発生し、他方の情報単位は、異なるデータキャリアから発生し、衝突検出手段は、インジケータ信号を生成し、インジケータ信号を、インターフェースを介して供給するように構成されており、インジケータ信号は、２つの異なる情報単位のほぼ同時の出現の検出を示し、通信装置は、情報単位処理手段を備え、情報単位処理手段は、このような異なる情報単位のほぼ同時の出現を衝突検出手段により検出した結果として、インジケータ信号を発生させた情報単位の前に出現した全ての情報単位を記憶および処理するように構成され、情報単位処理手段は、追加的に、制御信号を生成するように構成されており、制御信号は、インジケータ信号を発生させた情報単位を決定し、かつ、インターフェースを介した供給が可能となるように供給され、情報単位処理手段は、制御信号の供給に続いて、制御信号により決定された情報単位を、インジケータ信号を発生させた情報単位の前に出現した全ての情報単位と共に記憶および処理するように構成されている。
【手続補正５】
【補正対象書類名】明細書
【補正対象項目名】００１６
【補正方法】変更
【補正の内容】
【００１６】
本発明に係る手段を提供することにより、本発明に係る回路から発生する情報単位が、本発明に係る異なる回路から発生する情報単位と衝突するイベントにおいて、既に供給されている情報単位は、その後に使用されるという見込みなしに時間の無駄として無意味に供給されないという利点が得られる。それは、インジケータ信号を発生させた、フラグが立てられた情報単位に基づいて、まだ供給されていない残りの情報単位を供給すべきかどうかについて、回路内で決定できるからである。さらに、通信装置において、既に受信された情報単位は、衝突が起こったとしても、さらなる処理に使用可能であり、従来技術でのように単に棄てられない、という利点が得られる。したがって、比較的多数のデータキャリアが、通信装置の通信領域内に同時に配置された場合であっても、各データキャリアが、その識別情報を、時間のかかる識別情報全体の反復なしに、可能な限り迅速かつ確実に通信装置に供給できることを保証する、という要求が生じる。本発明に係る手段を提供することにより、前記インジケータ信号を発生させた情報単位が制御信号により決定された情報単位と同一である回路からの識別情報の供給が、インジケータ信号を発生させた情報単位に続く情報単位により継続される、というさらなる利点が得られる。これにより、上述の基準を満たす回路が、どのような時間がかかる双方向の通信もなしに制御信号によって選択され、また、インジケータ信号を発生させた情報単位の送信の反復も省略されるというさらなる利点が得られ、したがって、可能な限り効率的なアンチ衝突方法が実現される。
【手続補正６】
【補正対象書類名】明細書
【補正対象項目名】００１７
【補正方法】変更
【補正の内容】
【００１７】
本発明に係る一解決策の場合、例えば、インジケータ信号が受信されたかどうかを決定するために、電圧ランプ評価手段が設けられるようにすることができ、電圧ランプ評価手段は、インターフェースを介した非接触通信の間に回路内で起こった電圧ランプを、検出し評価するように構成されている。電圧ランプ評価手段によって、例えば、２つの同時に出現した異なる情報単位を示す目的で、通信装置によって生成されたキャリア信号の振幅が、２つの異なる情報単位が同時に出現した後のある時間間隔にわたって変更され、これにより、インジケータ信号を発生させた情報単位の供給後に電圧ランプが起こり、この電圧ランプは、振幅が変わっていないキャリア信号によって発生した電圧ランプとは異なる、ということを確定することができる。本発明に係る一解決策の場合には、さらに、上述の目的でコード監視手段を設けるようにすることができ、コード監視手段により、情報単位の供給の間に用いられたコードの劣化が、インジケータ信号の受信を示すものとみなされる。しかしながら、これは、追加的に、請求項２および請求項７に記載の手段がそれぞれ設けられる際に、特に有利であることが証明された。これにより、インジケータ信号の受信は、インターフェースに出現する情報単位を、回路内に存在しインターフェースに供給される情報単位と単に比較することによって、達成可能であるという利点が得られ、これは、インターフェースでは、インジケータ信号の受信の間に、供給されている情報単位とインジケータ信号の間に、オーバーレイがあり、このオーバーレイは、回路から供給される情報単位とは異なっているからである。
【手続補正７】
【補正対象書類名】明細書
【補正対象項目名】００１８
【補正方法】変更
【補正の内容】
【００１８】
本発明に係る一実施形態において、例えば、情報単位と、識別情報内での情報単位の特定の位置の両方が記憶されるようにすることができる。しかしながら、これは、請求項３および請求項８のそれぞれに記載の手段が、追加的に提供される場合に、特に有利であると証明された。これにより、特定の情報単位に対するいわゆるポインタのみを記憶させればよく、これにより、メモリ要求の点において、可能な限り経済的である識別情報の処理を可能にする、という利点が得られ、それは、識別情報が、通常は、変更できないように記憶されており、識別情報の情報単位のコピーを作成することは、どのような追加の利点となりもせず、単にメモリスペースを占有するだけだからである。
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】変更
【補正の内容】
【００２０】
本発明に係る一解決策において、例えば、制御信号が、インジケータ信号の直後、またはインジケータ信号が出現した後の時間間隔の経過後に受信され、したがって、インジケータ信号から独立して処理されるようにすることができる。しかしながら、これは、請求項４および請求項９および請求項１１のそれぞれに記載の手段が、追加的に提供される場合に、特に有利であると証明された。これにより、識別情報の供給の継続は、２つの異なる情報単位の出現に際しても、ほとんど遅延なく実行される、という利点が得られ、それは、インジケータ信号を発生させた情報単位の反復は、インジケータ信号を処理した後は必要なく、次の情報単位による、すなわちインジケータ信号を発生させた情報単位に続く情報単位による、識別情報の供給の継続まで、待ち時間がほとんど必要ないからである。
【手続補正１０】
【補正対象書類名】明細書
【補正対象項目名】００２１
【補正方法】変更
【補正の内容】
【００２１】
回路に関して列記された利点は、請求項１乃至請求項４のいずれかに記載の本発明に係る回路を有する請求項５に記載の本発明に係るデータキャリアの場合にも有効であることに留意すべきである。
【国際調査報告】
2007508634.tif 000004
2007508634.tif 000005
2007508634.tif 000006